(57)【要約】本発明は、端末に関連付けられたユーザ・プロファイルに関する。本発明は、提供されるサービスを個別設定するために共用端末で音声および／または映像放送のサービス提供者によって使用される共通ユーザ・プロファイル（４）を適応させる方法であって、共用端末の近傍に少なくとも１つの新しい端末（５、６、または７）を検出するステップと、提供されるサービスの個別設定に対応する期間にわたり共用端末の近傍に存在するという少なくとも１つの第１の条件に基づいて検出された少なくとも１つの新しい端末を有効にするステップと、１つまたは複数の有効にされた新しい端末に対応する１つまたは複数のユーザ・プロファイルを決定するステップと、新しい共通ユーザ・プロファイルを取得するために、１つまたは複数の所定のプロファイルをサービス提供者によって使用される共用プロファイルを表す１つまたは複数のパラメータと相関付けるステップと、提供されるサービスの個別設定を変更するために、少なくとも新しい共通ユーザ・プロファイルがサービス提供者によって使用される共通ユーザ・プロファイルと十分に異なる場合に、サービス提供者が新しい共通ユーザ・プロファイルを実装するステップと、を含む方法から構成される。
2009530941.tif 000002
【特許請求の範囲】
【請求項１】
提供されるサービスを個別設定するために共用端末（４）で音声および／または映像放送のサービス提供者によって使用される共通ユーザ・プロファイルを適応させる方法であって、
前記共用端末の近傍に少なくとも１つの新しい端末（５、６、または７）を検出するステップと、
前記提供されるサービスの個別設定に対応する期間にわたり前記共用端末の近傍に存在するという少なくとも１つの第１の条件に基づいて検出された少なくとも１つの新しい端末を有効にするステップと、
１つまたは複数の有効にされた新しい端末に対応する１つまたは複数のユーザ・プロファイルを決定するステップと、
新しい共通ユーザ・プロファイルを取得するために、１つまたは複数の所定のプロファイルを前記サービス提供者によって使用される前記共用プロファイルを表す１つまたは複数のパラメータと相関付けるステップと、
前記提供されるサービスの個別設定を変更するために、少なくとも前記新しい共通ユーザ・プロファイルが前記サービス提供者によって使用される前記共通ユーザ・プロファイルと十分に異なる場合に、前記サービス提供者が前記新しい共通ユーザ・プロファイルを実装するステップとを含む方法。
【請求項２】
前記代表的なパラメータ（１つまたは複数）は、前記サービス提供者によって使用される前記共通ユーザ・プロファイルを構成する前記端末のユーザ・プロファイル（１つまたは複数）であることを特徴とする、請求項１に記載の共通ユーザ・プロファイルを適応させる方法。
【請求項３】
前記代表的なパラメータ（１つまたは複数）は前記サービス提供者によって使用される前記共通ユーザ・プロファイルであることを特徴とする、請求項１に記載の共通ユーザ・プロファイルを適応させる方法。
【請求項４】
前記相関付けステップは、少なくとも特定のユーザ・プロファイルの特性の共通部分に関する作用を含むことを特徴とする、請求項１乃至３のいずれか１項に記載の共通ユーザ・プロファイルを適応させる方法。
【請求項５】
前記相関付けステップは、優先ユーザ・プロファイルが存在する場合に、少なくとも特定のユーザ・プロファイルの特性の除外に関する作用を含むことを特徴とする、請求項１乃至４のいずれか１項に記載の共通ユーザ・プロファイルを適応させる方法。
【請求項６】
前記相関付けステップは、少なくとも特定のユーザ・プロファイルの特性の重要部分の計算に関する作用を含むことを特徴とする、請求項１乃至５のいずれか１項に記載の共通ユーザ・プロファイルを適応させる方法。
【請求項７】
提供されるサービスを個別設定するために共用端末（４）で音声および／または映像放送のサービス提供者によって使用される共通ユーザ・プロファイルを適応させる方法であって、
前記共用端末の近傍に少なくとも１つの新しい端末（５、６、または７）を検出するステップと、
前記提供されるサービスの個別設定に対応する期間にわたり前記共用端末の近傍に存在するという少なくとも１つの第１の条件に基づいて検出された少なくとも１つの新しい端末を有効にするステップと、
１つまたは複数の有効にされた新しい端末に対応する１つまたは複数のユーザ・プロファイルを決定するステップと、
前記提供されるサービスの個別設定を変更するために、まだ有効にされているすべての端末に対応する以前記憶された新しい共通ユーザ・プロファイルをサービス提供者が実装するステップとを含む方法。
【請求項８】
前記検出ステップは前記検出された端末用の受動検出に対応し、前記検出された端末が所定時間にわたり検出可能である場合に前記有効化ステップが実行されることを特徴とする、請求項１乃至７のいずれか１項に記載の共通ユーザ・プロファイルを適応させる方法。
【請求項９】
前記検出ステップは前記検出された端末からの自発的な信号送信に対応し、次に前記有効化ステップが自動的に実行されることを特徴とする、請求項１乃至７のいずれか１項に記載の共通ユーザ・プロファイルを適応させる方法。
【請求項１０】
前記サービスは少なくとも映像サービスであることを特徴とする、請求項１乃至９のいずれか１項に記載の共通ユーザ・プロファイルを適応させる方法。
【請求項１１】
前記映像サービスは、テレビでの送信時に映像広告シーケンスの送信を含むことを特徴とする、請求項１０に記載の共通ユーザ・プロファイルを適応させる方法。
【請求項１２】
前記映像サービスは、テレビでの送信時に対話型の映像による質問の送信を含むことを特徴とする、請求項１０または１１に記載の共通ユーザ・プロファイルを適応させる方法。
【請求項１３】
前記有効化ステップは、前記第１の条件を検証する新しい端末の最小数（厳密には１を超える数）に関する第２の条件も検証することを特徴とする、請求項１乃至１２のいずれか１項に記載の共通ユーザ・プロファイルを適応させる方法。
【請求項１４】
前記有効化ステップは、前記サービス提供者によって使用される前記共通ユーザ・プロファイルを構成するすべての端末に関連する前記第１の条件を検証する新しい端末の最小の割合に関する第２の条件も検証することを特徴とする、請求項１乃至１２のいずれか１項に記載の共通ユーザ・プロファイルを適応させる方法。
【請求項１５】
提供されるサービスを個別設定するために共用端末（４）で音声および／または映像放送のサービス提供者によって使用される共通ユーザ・プロファイルを適応させる方法であって、
前記共用端末の近傍から少なくとも１つの端末（５、６、または７）が消失したことを検出するステップと、
前記提供されるサービスの個別設定に対応する期間にわたり前記共用端末の近傍外に存在するという少なくとも１つの第１の条件に基づいて消失したことが検出された少なくとも１つの端末を有効にするステップと、
新しい共通ユーザ・プロファイルを取得するために、前記提供されるサービスの個別設定に対応する期間にわたり前記共用端末の近傍に存在する端末に対応する１つまたは複数のユーザ・プロファイルを相関付けるステップと、
前記提供されるサービスの個別設定を変更するために、少なくとも前記新しい共通ユーザ・プロファイルが前記サービス提供者によって使用される前記共通ユーザ・プロファイルと十分に異なる場合に、前記サービス提供者が前記新しい共通ユーザ・プロファイルを実装するステップとを含む方法。
【請求項１６】
提供されるサービスを個別設定するために共用端末（４）で音声および／または映像放送のサービス提供者によって使用される共通ユーザ・プロファイルを適応させる方法であって、
前記共用端末の近傍から少なくとも１つの端末（５、６、または７）が消失したことを検出するステップと、
前記提供されるサービスの個別設定に対応する期間にわたり前記共用端末の近傍外に存在するという少なくとも１つの第１の条件に基づいて消失したことが検出された少なくとも１つの端末を有効にするステップと、
前記提供されるサービスの個別設定を変更するために、前記提供されるサービスの個別設定に対応する期間にわたり前記共用端末の近傍にまだ存在するすべての端末に対応する以前記憶された新しい共通ユーザ・プロファイルを前記サービス提供者が実装するステップと、を含む方法。
【請求項１７】
請求項１に記載の前記提供されるサービスを個別設定するために共用端末で音声および／または映像放送のサービス提供者によって使用される前記共通ユーザ・プロファイルを適応させるための方法を実装するためのモジュールと、請求項１５に記載の前記提供されるサービスを個別設定するために共用端末で音声および／または映像放送のサービス提供者によって使用される前記共通ユーザ・プロファイルを適応させるための方法を実装するためのモジュールとの両方を含むアプリケーション・サーバ。
【請求項１８】
請求項７に記載の前記提供されるサービスを個別設定するために共用端末で音声および／または映像放送のサービス提供者によって使用される前記共通ユーザ・プロファイルを適応させるための方法を実装するためのモジュールと、請求項１６に記載の前記提供されるサービスを個別設定するために共用端末で音声および／または映像放送のサービス提供者によって使用される前記共通ユーザ・プロファイルを適応させるための方法を実装するためのモジュールとの両方を含むアプリケーション・サーバ。
【発明の詳細な説明】
【技術分野】
【０００１】
本発明は、サービス、特に放送向けの映像および／または音声サービスを提供するためのユーザ・プロファイルの作成および使用に関する。
【背景技術】
【０００２】
ユーザ・プロファイルは、対話的な側面または個別サービスのいずれかが放送サービスに追加されるときに特に使用される。対話型部分または個別部分は、サービスの放送の共通部分に追加されるが、サービスの共通部分が放送される端末のユーザ・プロファイルに依存する。この共通部分はすべての端末に対して同じであるか、または少なくとも関連するサービスを要求した多数の端末に対して同じである。たとえば、放送の共通部分はテレビ番組であり、一方、追加部分は対話もしくは特定の広告であったり、または同時にこれら両方の場合もある。
【０００３】
ユーザ・プロファイルは一般的に個別ユーザ・プロファイルであり、言い換えれば、各ユーザはユーザ・プロファイルが関連付けられている端末に関連付けられている。複数のユーザグループをひとまとめにすることもできるが、これらはグループの管理に使用される規則を含む個別ユーザ・プロファイルのグループの形式をとりながら、個別ユーザ・プロファイルの特定の機能を考慮したものとなっている。
【発明の開示】
【発明が解決しようとする課題】
【０００４】
本発明は、複数のユーザが、複数のユーザが共用することから共用端末と呼ばれる１つの端末を共有することを要求されるという特定の場合に関する。このような場合において、共用端末を共有している異なるユーザに関連付けられているユーザ・プロファイルのセットを個別管理することは、本発明では最適ではないと見なされる。実際に、あるユーザ・プロファイルにリンクされている各オペレーションにおいて、別の個別ユーザ・プロファイルに接続する複雑な規則を考慮する必要がある。しかし、本発明は、共通ユーザ・プロファイルの作成を提案する。この共通ユーザ・プロファイルは、共用端末に関連付けられているすべてのユーザに共用のものであり、サービス提供者はこの共通ユーザ・プロファイルだけを認識することになるため、別の個別ユーザ・プロファイルを認識する必要がなくなる。したがってサービス提供者は、通常１つのユーザ・プロファイルだけを認識するという、シンプルかつ標準的なオペレーションを取り戻すことが可能になる。唯一の違いは、このユーザ・プロファイルは個人を表すものではなく、コミュニティを表しているということだけである。その結果、ユーザまたはユーザに関連付けられている端末（１つまたは複数）を管理する通信事業会社からの要求に応じた従来のユーザ・プロファイル変更に加えて、ユーザのコミュニティの構成が変更されたとき、または少なくとも共通ユーザ・プロファイルを本質的に変更するのに十分にユーザのコミュニティの構成が変更されたときに、共通ユーザ・プロファイルを再度適応させる必要がある。ユーザのコミュニティを変更すると、このように共通ユーザ・プロファイルを対話型かつ動的に適応させることになる。
【課題を解決するための手段】
【０００５】
本発明は、使用する共通ユーザ・プロファイルを変更することにより共通ユーザ・プロファイルを活用するために使用する方法、および既に記憶されている別の共通ユーザ・プロファイルを使用することにより共通ユーザ・プロファイルを活用するために使用する方法を提案する。
【０００６】
本発明によると、提供されるサービスを個別設定するために共用端末で音声および／または映像放送のサービス提供者によって使用される共通ユーザ・プロファイルを適応させるために設計された方法であって、共用端末の近傍に少なくとも１つの新しい端末を検出するステップと、提供されるサービスの個別設定に対応する期間にわたり共用端末の近傍に存在するという少なくとも１つの第１の条件に基づいて検出された少なくとも１つの新しい端末を有効にするステップと、１つまたは複数の有効にされた新しい端末に対応する１つまたは複数のユーザ・プロファイルを決定するステップと、新しい共通ユーザ・プロファイルを取得するために、１つまたは複数の所定のプロファイルをサービス提供者によって使用される共用プロファイルを表す１つまたは複数のパラメータと相関付けるステップと、提供されるサービスの個別設定を変更するために、少なくとも新しい共通ユーザ・プロファイルがサービス提供者によって使用される共通ユーザ・プロファイルと十分に異なる場合に、サービス提供者が新しい共通ユーザ・プロファイルを実装するステップとを含む方法が提供される。同様に、本発明は、端末が共用端末の近傍から消失した場合に、共通ユーザ・プロファイルを適応させる方法を提案する。これは、提供されるサービスを個別設定するために共用端末で音声および／または映像放送のサービス提供者によって使用される共通ユーザ・プロファイルを適応させる方法であって、共用端末の近傍から少なくとも１つの端末が消失したことを検出するステップと、提供されるサービスの個別設定に対応する期間にわたり共用端末の近傍外に存在するという少なくとも１つの第１の条件に基づいて消失したことが検出された少なくとも１つの端末を有効にするステップと、新しい共通ユーザ・プロファイルを取得するために、提供されるサービスの個別設定に対応する期間にわたり共用端末の近傍に存在する端末に対応する１つまたは複数のユーザ・プロファイルを相関付けるステップと、提供されるサービスの個別設定を変更するために、少なくとも新しい共通ユーザ・プロファイルがサービス提供者によって使用される共通ユーザ・プロファイルと十分に異なる場合に、サービス提供者が新しい共通ユーザ・プロファイルを実装するステップとを含む方法である。１つまたは複数の端末の追加および１つまたは複数の端末の同時取り消しは、同じアプリケーション・サーバ内において、本発明による方法によって、全体的かつ同時に処理するのが好ましい。
【０００７】
本発明によると、提供されるサービスを個別設定するために共用端末で音声および／または映像放送のサービス提供者によって使用される共通ユーザ・プロファイルを適応させるためにも設計された方法であって、共用端末の近傍に少なくとも１つの新しい端末を検出するステップと、提供されるサービスの個別設定に対応する期間にわたり共用端末の近傍に存在するという少なくとも１つの第１の条件に基づいて検出された少なくとも１つの新しい端末を有効にするステップと、１つまたは複数の有効にされた新しい端末に対応する１つまたは複数のユーザ・プロファイルを決定するステップと、提供されるサービスの個別設定を変更するために、まだ有効にされているすべての端末に対応する以前記憶された新しい共通ユーザ・プロファイルをサービス提供者が実装するステップとを含む方法が提供される。まだ有効にされている端末の中には、新しく有効にされた端末とともに、消失の確認において消失したとして検出されていない、以前有効にされた端末がある。同様に、本発明は、端末が共用端末の近傍からなくなった場合に、共通ユーザ・プロファイルを適応させる方法を提案する。これは、提供されるサービスを個別設定するために共用端末で音声および／または映像放送のサービス提供者によって使用される共通ユーザ・プロファイルを適応させる方法であって、共用端末の近傍から少なくとも１つの端末が消失したことを検出するステップと、提供されるサービスの個別設定に対応する期間にわたり共用端末の近傍外に存在するという少なくとも１つの第１の条件に基づいて消失したことが検出された少なくとも１つの端末を有効にするステップと、提供されるサービスの個別設定を変更するために、提供されるサービスの個別設定に対応する期間にわたり共用端末の近傍にまだ存在するすべての端末に対応する以前記憶された新しい共通ユーザ・プロファイルをサービス提供者が実装するステップとを含む方法である。１つまたは複数の端末の追加および１つまたは複数の端末の同時取り消しは、同じアプリケーション・サーバ内において、本発明による方法によって、全体的かつ同時に処理するのが好ましい。
【０００８】
本発明は、さらに共通ユーザ・プロファイルを作成する方法を提案する。これは共通ユーザ・プロファイルを作成する方法であって、複数の既存のユーザ・プロファイルが、共用端末において音声および／または映像放送のサービス提供者によって使用される共通ユーザ・プロファイルを取得するために、既存のユーザ・プロファイルに対応する複数のユーザに相関付けられ、放送サービスが個別設定される。相関付けられる既存のユーザ・プロファイルは、すべて個別ユーザ・プロファイルあるいはすべての共通ユーザ・プロファイルでも可能で、または少なくとも１つの個別ユーザ・プロファイルおよび少なくとも１つの共通ユーザ・プロファイルを含むことができる。共用端末に関連付けられているユーザのコミュニティの構成の変更に基づいて他のユーザ・プロファイルが相関付けられる共通ユーザ・プロファイルは、個別ユーザ・プロファイルが対応するユーザによって定義されるのと同じ方法で、同意に基づいてユーザ達自身が定義していてもよい。
【０００９】
本発明は、例として提供する下記の記述および添付図面を参照することによって、よりよく理解され、また他の特性および利点が明白になるであろう。
【発明を実施するための最良の形態】
【００１０】
図１は、１つの共用端末および複数の個別端末を用いる本発明による方法の使用例を示す図である。家１の部屋（たとえば居間）は、２つの開口部２および３（たとえばドア）を有し、これらを介してユーザおよびユーザが運んでいる端末の両方が入出することができる。部屋１には、たとえば家に住んでいる家族の複数のメンバが同時に見ることができる居間のテレビなどの共用端末４がある。たとえば２つの携帯電話５および６、ならびに１つの携帯情報端末（ＰＤＡ）７など、複数の端末５〜７が、部屋１において所定の時刻に見られる。これらのモバイル端末は、それぞれ１つのユーザに関連付けられている。したがって、部屋１に端末５、６、または７が存在することは、該当端末にそれぞれ関連付けられているユーザが存在することを示している。
【００１１】
部屋１では、共通ユーザ・プロファイルは、提供されるサービスを個別設定するために、共用端末４において音声および／または映像放送のサービス提供者によって使用される。ここでは、共通ユーザ・プロファイルは、たとえば端末７のユーザ・プロファイルに対応する。端末７は部屋１内で常に移動している。これは、たとえば、テレビを時々見ながら部屋１で家事をしている家族の父親である。複数の端末が既に部屋１にある場合は、共通ユーザ・プロファイルは、既に複数の個別ユーザ・プロファイルの相互関連である可能性がある。このとき、１人のユーザが端末５を持って部屋１に入る。すぐに、端末５は長時間にわたり移動しない状態となる。これは、たとえばテレビを見るために肘掛け椅子に座った家族の母親である。共用端末４から独立しているか、または共用端末４に統合されている、図１に図示されていない検出システムは、端末５が部屋１に入ったことを検出する。別の実施形態においては、検出システムに対して、または直接共用端末４に対して信号を送るのは端末５である。共用端末４の近傍に端末５が長時間存在することが検出されるか、または端末５から要求が送られると、端末５のユーザは共用端末４の内容に興味を持っていると想定される。共用端末の近傍とは、端末のユーザが、共用端末のサービス放送から少なくともある程度は利益を得ることができる傾向にある共用端末周辺の空間を意味することが好ましい。端末５が、共用端末４で提供されるサービスの個別設定に対応する期間にわたり共用端末４の近傍に存在する限り、つまり、この場合は部屋１において端末５が自発的に信号を送っている場合、または端末５が共用端末４の近傍に長時間にわたり存在する場合、この端末は有効にされる。言い換えれば、このユーザは共用端末４のサービス放送に興味を持っていると見なされる。次のステップ、または次のステップ群のうちの１つでは、提供されるサービスの個別設定において端末５を考慮に入れる。これを意味のあるものにするには、提供されるサービスの個別設定を有効にするために端末５が部屋１に存在する予測時間は短すぎてはいけない。端末５のユーザを考慮したサービスを個別設定するのに必要な時間内に、このユーザと端末５が部屋１を去ってしまった場合、個別設定の変更は意味がないものになる。たとえば、端末５は、端末５のユーザが見た広告メッセージ、共用端末４のサービス放送、映像など、少なくとも１つまたは複数の個別設定に必要な時間にわたり部屋１に存在すると想定する。端末５が有効になると、少なくとも上記の第１の条件を満たし、かつ該当する場合は１つまたは複数の他の適切な条件を満たした場合、図２について説明するときに詳述する方法で、ユーザ・プロファイル５を使用して新しい共通ユーザ・プロファイルが取得される。新しい共通ユーザ・プロファイルは、それぞれ端末５および７に関連付けられているユーザ・プロファイルの相互関連に対応する。このとき、別のユーザがドア２から入ってドア３を通ってすぐに出て行き、部屋１を横切ったと仮定する。もちろん、放送されているサービスに興味がないため、このユーザは共用端末４に自発的に信号を送ることはない。有効にされる端末の利用可能な検出システムは、部屋１に端末６が入ると端末６を検出する。しかし端末６の滞在は、たとえば所定の時間が経過する前など、端末６に対応するユーザ・プロファイルを使用してサービス放送を個別設定すること、および端末６のユーザのために個別設定されたこのサービスを十分な時間にわたって表示することを可能にするには、間もない、言い換えればあまりにも短時間であるため、もはや検出システムによって検出されず、共用端末４の新しい共通ユーザ・プロファイルは、同じ状態で残され、したがって、端末６に関連付けられているユーザ・プロファイルの特定の特徴を考慮するように変更されることはない。共用端末に対して静止しているユーザと通過しているユーザの相違以外の条件を使用して、共通ユーザ・プロファイルの再計算を始動させるかどうかを決定することができる。新しい端末が検出されて、その端末は共用端末に対して静止していると見なされると、システムは、共通ユーザ・プロファイルを再計算する前に、この端末に対して１つまたは複数の他の条件を確認することができる。これにより、サービス放送の個別設定を変更することによりサービス提供者が得ることが予想される利益は、共通ユーザ・プロファイルを再計算するコストより大きくなる。検出された新しい端末の数または割合に基づいた他の条件については、後に詳しく説明する。
【００１２】
画像を伴う共通ユーザ・プロファイルの変更に関する具体的な例について、ここで説明する。アリスは、自宅の居間で肘掛け椅子に座り、テレビでフットボールの試合を見ている。ポケット内の携帯電話を介してアリスは検出され、彼女のユーザ・プロファイルがテレビに関連付けられている共通ユーザ・プロファイルを構成する。アリスのユーザ・プロファイルは、彼女がビールとチョコレートが好きな女性であることを示している。フットボールの試合中に、ビールの銘柄に関する広告が画面に表示される。彼女の息子であるボブが、フットボールの試合の後半に居間に入ってきてソファに座る。ボブは、フットボールの試合を見ながら遊んでいるＰＤＡを介して検出される。ボブのユーザ・プロファイルは、彼がチョコレートとレモネードが好きな若者であることを示している。アリスとボブのユーザ・プロファイルの相互関連により、彼らの共通点である両者ともにチョコレートが好きであることが示される。フットボールの試合の後半の間は、さまざまなチョコレート銘柄に関する広告が画面に表示されることになる。
【００１３】
特定数のユーザを含む共通ユーザ・プロファイルは、特に記憶されたときに、次の要素のすべてまたは一部を含むことができる。すなわち、共通ユーザ・プロファイルに含まれているユーザの数、共通ユーザ・プロファイルに含まれている異なるユーザの年齢、共通ユーザ・プロファイルに含まれている異なるユーザによって構成されるグループの平均年齢、所定時刻におけるそれぞれの位置、興味の中心、通常一緒に見るテレビ番組の種類、これらのユーザが構成するコミュニティの種類（家族、友人のグループなど）、すべての個別ユーザ・プロファイル、および一般に要求されるサービスの種類などである。
【００１４】
図２は、本発明による方法の実装例を示す図である。矢印は、情報の交換を表している。
【００１５】
ＩＭＳ（「インターネット・プロトコル・マルチメディア・サブシステム」）アプリケーション・サーバ１０を特に接続することができるのは、ユーザとオペレータの両方が共通ユーザ・プロファイルを決定するためのポリシーを定義できるＧＵＩ（「ガイド・ユーザ・インタフェース」）のグラフィカル・ユーザ・インタフェース２０と、放送されるテレビの送信内容に対話機能を追加するために使用する双方向テレビ管理プラットフォーム２１、好ましくは固定することも可能なＩＭＢＳ（「対話型モバイル放送サービス：Ｉｎｔｅｒａｃｔｉｖｅ  Ｍｏｂｉｌｅ  Ｂｒｏａｄｃａｓｔ  Ｓｅｒｖｉｃｅ」）と、ＩＭＳアプリケーション・サーバ１０による検出を可能にする、ユーザ端末に設置されたＩＭＳクライアント２２と、特にユーザのサービスに対する制御セッションを提供し、登録ユーザのセッションの状態を維持する役割を果たす、呼状態制御機能（Ｓ−ＣＳＣＦまたは「Ｓｅｒｖｉｎｇ  Ｃａｌｌ  Ｓｔａｔｅ  Ｃｏｎｔｒｏｌ  Ｆｕｎｃｔｉｏｎ」）サーバ２３を使用する音声や映像などのマルチメディア・サービスのプロバイダ２４とである。このマルチメディア・サービスは共用端末に表示することができる。
【００１６】
ＩＭＳアプリケーション・サーバ１０（「インターネット・プロトコル・マルチメディア・サブシステム」）は、「共通ユーザ・プロファイル」アプリケーション・サーバ１１、通信アプリケーション・グループ１７、および１組のイネイブラ１８を含む。本発明による方法は、ＩＭＳアプリケーション・サーバ以外でも実施することができる。たとえば、特にＡＤＳＬ（「非対称デジタル加入者線」）におけるビデオ・オン・デマンド、またはＡＤＳＬにおける双方向テレビのネットワーク管理プラットフォームなどでも実施することができる。しかし、一方にある個別端末の識別子と、他方にあるこの個別端末に関連付けられている個別ユーザ・プロファイルの対応を促進できるため、ＩＭＳアプリケーション・サーバを使用する方が有益である。特に、通信アプリケーション・グループ１７は、ＰＴＴ（「Ｐｕｓｈ  ｔｏ  Ｔａｌｋ」）など、ユーザとの対話を可能にするアプリケーションを含むことができる。１組のイネイブラ１８は、特にアクセス制御を担当するＡＡＣ（「認証とアクセス制御：Ａｕｔｈｅｎｔｉｃａｔｉｏｎ  ａｎｄ  Ａｃｃｅｓｓ  Ｃｏｎｔｒｏｌ」）サービス、ユーザが有効かどうか、および利用可能な通信資源を確認するために使用するプレゼンス・サービス、ユーザの一覧の管理を担当するＧＬＭＳサービス、請求サービス、サービス品質管理サービス、別のユーザが見つかった位置に関係する情報を提供する位置サービスを含むことが可能で、これらは、一般的にＩＭＳアプリケーション・サーバ１０内のマルチメディア・サービスの提供に伴う。
【００１７】
「共通ユーザ・プロファイル」アプリケーション・サーバ１１は、ルール・エンジン１２、共通ユーザ・プロファイルを決定するポリシーのディレクトリ１３、個別ユーザ・プロファイルのディレクトリ１４、共用端末のディレクトリ１５、共通ユーザ・プロファイルのディレクトリ１６を含む。
【００１８】
「共通ユーザ・プロファイル」アプリケーション・サーバ１１は、好ましくは個別ユーザ・プロファイルのディレクトリ１４の支援を受けて、検出および有効化された新しい端末に対応するユーザ・プロファイルを決定する。以後、このユーザ・プロファイルを新規個別ユーザ・プロファイルと呼ぶ。これらのユーザ・プロファイルは、端末に関連付けられている個別ユーザ・プロファイルを含む、図２に図示されていないＨＳＳ（Ｈｏｍｅ  Ｓｕｂｓｃｒｉｂｅｒ  Ｓｅｒｖｅｒ：ホーム・サブスクライバ・サーバ）サーバから直接要求することもできる。実際的には、個別ユーザ・プロファイルのディレクトリ１４を完成するために、「共通ユーザ・プロファイル」アプリケーション・サーバ１１は、少なくとも初回はＨＳＳサーバを使用するのが好ましい。
【００１９】
共用端末のディレクトリ１５は、共用端末ごとに、共通ユーザ・プロファイルへの参照を示す。共通ユーザ・プロファイルのディレクトリ１６は、共用端末に既に関連付けられている共通ユーザ・プロファイルを含む。特定の共用端末に対して、「共通ユーザ・プロファイル」アプリケーション・サーバ１１は、共用端末のディレクトリ１５を介して共通ユーザ・プロファイルの参照を取得する。この参照を通じて、「共通ユーザ・プロファイル」アプリケーション・サーバ１１は、共通ユーザ・プロファイルのディレクトリ１６を使用して、関連する共用端末に関連付けられている最後の共通ユーザ・プロファイルを取得する。以後、この最後の共通ユーザ・プロファイルを古い共通ユーザ・プロファイルと呼ぶ。
【００２０】
第１に共通ユーザ・プロファイルを決定するためのポリシーのディレクトリ１３（古い共通ユーザ・プロファイルに対して追加または削除する１つまたは複数の個別ユーザ・プロファイルから新しい共通ユーザ・プロファイルを決定する方法を説明するポリシーを含む）を使用して、第２に古い共通ユーザ・プロファイルおよび新規個別ユーザ・プロファイル（１つまたは複数）の両方を使用して、ルール・エンジン１２は、次に関係する共用端末で使用される新しい共通ユーザ・プロファイルを決定することができる。より一般的に言い換えると、サービス提供者によって使用される共通ユーザ・プロファイルを表す１つまたは複数のパラメータで決定されるユーザ・プロファイル（１つまたは複数）の相関付けは、新しい共通ユーザ・プロファイルを取得するように実行される。代表的なパラメータの例は後に示す。
【００２１】
新しい共通ユーザ・プロファイルは、提供されるサービスの個別設定を変更するためにサービス提供者によって系統的に使用するか、または新しい共通ユーザ・プロファイルがサービス提供者によって使用される共通ユーザ・プロファイルから十分に異なる場合のみ使用することができる。実際に、サービスの個別設定の変更がオペレータにとって重要でない、またはユーザには感知できないと考えられる場合、本発明による方法は、新しい共通ユーザ・プロファイルを考慮せずに古い共通ユーザ・プロファイルを保持し使用を継続することを選択する。
【００２２】
ルール・エンジン１２は、必ずしも系統的に新しい共通ユーザ・プロファイルを再計算する必要はない。ルール・エンジン１２は、共通ユーザ・プロファイルのディレクトリ１６で、所定時刻に有効な端末に関連付けられているすべてのユーザ・プロファイルに対応する共通ユーザ・プロファイルを、この共通ユーザ・プロファイルが、以前に共通ユーザ・プロファイルのディレクトリ１６に記憶されている限り、検索する可能性がある。たとえば所定時刻に、共用端末は、アラン、バーナード、およびクリストフという３つの個別ユーザ・プロファイルに対応する１つの共通ユーザ・プロファイルに関連付けられている。クリストフが共用端末の近傍から離れる。ルール・エンジン１２は新しい共通ユーザ・プロファイルを再計算する代わりに、単に共通ユーザ・プロファイルのディレクトリ１６内を見て、アランとバーナードの個別ユーザ・プロファイルに対応する共通ユーザ・プロファイルが既に含まれているかどうかを確認する。
【００２３】
放送サービス（音声および／または映像）は、少なくとも映像サービスであることが好ましく、言い換えれば、映像を含んでいることが好ましい。純粋な音声サービスは可能であるが、コンテンツの豊富さがかなり劣るためにあまり興味深いものではなく、サービスの個別設定の観点から見て興味深いものではない。一実施形態では、映像サービスは、テレビでの送信時に映像広告シーケンスの送信を含む。別の実施形態では、映像サービスは、テレビでの送信時に対話型の映像による質問の送信を含む。これら２つの実施形態は、同一サービスにおいて組み合わせることもできる。
【００２４】
検出ステップと有効化ステップにおいては、特に２つの実施形態による方法は、一方または組合せという形で想定することができる。言い換えれば、これらの方法は共用端末内に共存することができる。第１の実施形態の方法では、検出ステップは検出された端末用の受動検出に対応し、この検出された端末が所定時間にわたり検出可能である場合に有効化ステップが実行される。この最小待ち時間は、共用端末に関連付けられている共通ユーザ・プロファイルを定義するユーザのグループに属したい、または少なくとも共用端末でのサービス放送から実質的に利益を得るユーザのグループに属したいという要望とまではいかなくても、少なくともそうした要望の妥当な可能性を確認する手段である。この最小待ち時間は、放送サービスの提供者の金銭的観点から見て有益となるのに十分な時間にわたり滞在する意図はないために、実際には興味を持っていない新しい共通ユーザ・プロファイルを絶えず再計算することを避けるためにも使用される。第２の実施形態の方法では、検出ステップは検出された端末からの自発的な信号送信に対応し、次に有効化ステップが自動的に実行される。共存する場合には、特に優先規則は次のようになる。「自発」モードが有効な場合は「自発」モードが使用され、そうでない場合は「受動」モードが使用される。
【００２５】
有効化ステップにおいては、共用端末の近傍に個別端末を配置する条件を検証する必要があるが、これが検証する必要がある唯一の条件ではない。再計算を行った結果、ほとんど違いが生じないと考えられるときには、共通ユーザ・プロファイルを絶えず再計算することを避けるために、１つまたは複数の新規個別ユーザ・プロファイルの統合による共通ユーザ・プロファイルで予想される混乱を測定することを目的とする第２の条件も使用することが好ましい。一実施形態の方法では、有効化ステップは、第１の条件を検証する新しい端末の最小数（厳密には１を超える数）に関する第２の条件も検証する。別の実施形態の方法では、有効化ステップは、サービス提供者によって使用される共通ユーザ・プロファイルを構成するすべての端末に関連する第１の条件を検証する新しい端末の最小の割合に関する第２の条件も検証する。最小の割合の一例として１０％の場合があり、具体的には多数のユーザが存在する状況、たとえば共用端末が空港、駅のコンコース、または地下鉄の駅のような公共の場所にあるときなどがある。
【００２６】
相関付けのオペレーション中に、新規個別ユーザ・プロファイルは、古い共通ユーザ・プロファイルを表す１つまたは複数のパラメータと相関付けられる。一実施形態の方法では、代表的なパラメータ（１つまたは複数）は、サービス提供者によって使用される共通ユーザ・プロファイルを構成する端末のユーザ・プロファイル（１つまたは複数）である。この場合、新しい共通ユーザ・プロファイルは、共用端末に関連付けられている個別ユーザ・プロファイルのすべてから直接再計算される。この実施形態の方法には、新しい共通ユーザ・プロファイルをより詳細に決定できるという長所がある。別の実施形態の方法では、代表的なパラメータ（１つまたは複数）はサービス提供者によって使用される共通ユーザ・プロファイルである。この場合、新しい共通ユーザ・プロファイルは、古い共通ユーザ・プロファイルに混乱を適用することによって取得される。この混乱は、新規個別ユーザ・プロファイル（１つまたは複数）に対応している。この実施形態の方法には、新しい共通ユーザ・プロファイルを決定するためのコストが低くなるという長所があるが、新しい共通ユーザ・プロファイルの決定がやや大まかになる。
【００２７】
ユーザ・プロファイル間の相関付けは、複数の異なる方法で実行することができる。例を挙げると、一実施形態では、相関付けステップは、少なくとも特定のユーザ・プロファイルの特性の共通部分に関する作用を含む。別の実施形態では、相関付けステップは、優先ユーザ・プロファイルが存在する場合に、少なくとも特定のユーザ・プロファイルの特性の除外に関する作用を含む。さらに別の実施形態では、相関付けステップは、少なくとも特定のユーザ・プロファイルの特性の重要部分の計算に関する作用を含む。これら異なる実施形態の複数またはすべては組み合わせることができる。
【図面の簡単な説明】
【００２８】
【図１】１つの共用端末および複数の個別端末を用いる本発明による方法の使用例を示す図である。
【図２】本発明による方法の一実装例を示す図である。
【図１】
2009530941.tif 000003
【図２】
2009530941.tif 000004
【国際調査報告】
2009530941.tif 000005
2009530941.tif 000006
2009530941.tif 000007
2009530941.tif 000008